(57)【要約】【課題】不要になった組み立て式家具を解体して、必要なサイズに切断したり、新たに部材を補足して、その時々に必要な家具に幅広く組み立て直すことができ、子供の成長と共に変化し続ける組み立て式家具又はガーデニング用部材を実現するための、組み立て式家具又はガーデニング用部材のための組み立て用部材を提供する。【解決手段】組み立て式家具又はガーデニング用部材のための組み立て用部材であって、４ｃｍ角の木材に三方向よりコミ栓用穴を予め開け、同木材の長さを４ｃｍから４ｍとしてなり、前記コミ栓用穴は、前記木材の両端面に一箇所ずつおよび残る４面には一箇所ずつ又は等間隔に複数箇所設ける。【選択図】図１
0003170513.tif 000002
【実用新案登録請求の範囲】
【請求項１】
組み立て式家具又はガーデニング用部材のための組み立て用部材であって、４ｃｍ角の木材に三方向よりコミ栓用穴を予め開け、同木材の長さを４ｃｍから４ｍとしてなり、前記コミ栓用穴は、前記木材の両端面に一箇所ずつおよび残る４面には一箇所ずつ又は等間隔に複数箇所設けてなる、組み立て用部材。
【考案の詳細な説明】
【技術分野】
【０００１】
本考案は、組み立て、組み直しが簡単に行なえるように、４ｃｍ角の木材に３方向よりコミ栓用穴を開け、長さを４ｃｍから４ｍ位までとして、組み立て式家具又はガーデニング用部材の用途に自由に使えるようにした、組み立て用部材に関するものである。
【背景技術】
【０００２】
従来の子供用の机や椅子などの組み立て式家具は、子供（家族）の成長と共に不要になり、新しく必要な物を購入し、不要になった物は廃棄していた。成育段階に応じて、組み立て変更可能な多目的組立用収納棚が提案されている（特許文献１）。
【特許文献１】実用新案登録第３０６７２３６号公報
【考案の開示】
【考案が解決しようとする課題】
【０００３】
しかしながら、不要になった物を廃棄することは、産業廃棄物の増大につながり、また廃棄物の処理処分の問題が生じる。このため不要になった家具は解体して必要なサイズに切断したり、新たに部材を補足して、その時々に必要な家具に組み立て直すことができることが望ましい。上に述べた多目的組立用収納棚は、成育段階に応じて、ラック、本棚等に組み立て直すことができるが、側板、棒部材、棚板を主要部材とするため、変更できる用途は、極めて限定的である。
【０００４】
本考案は、上記課題に鑑みてなされたもので、不要になった組み立て式家具を解体して、必要なサイズに切断したり、新たに部材を補足して、その時々に必要な家具に幅広く組み立て直すことができ、子供の成長と共に変化し続ける組み立て式家具又はガーデニング用部材を実現するための、組み立て式家具又はガーデニング用部材のための組み立て用部材を提供することにある。
【課題を解決するための手段】
【０００５】
上記課題を解決するために、本考案の請求項１に係る組み立て用部材は、組み立て式家具又はガーデニング用部材のための組み立て用部材であって、４ｃｍ角の木材に三方向よりコミ栓用穴を予め開け、同木材の長さを４ｃｍから４ｍとしてなり、前記コミ栓用穴は、前記木材の両端面に一箇所ずつおよび残る４面には一箇所ずつ又は等間隔に複数箇所設けてなることを特徴とする。
【考案の効果】
【０００６】
以上説明したように、本考案の、組み立て式家具又はガーデニング用部材のための組み立て用部材によると、４ｃｍ角の木材に３方向よりコミ栓用穴を予め開け、同木材の長さを４ｃｍから４ｍとしてなり、前記コミ栓用穴は、前記木材の両端面に一箇所ずつおよび残る４面には一箇所ずつ又は等間隔に複数箇所設けてなることを特徴とするから、本考案の組み立て用部材を用いることにより、組み立て式家具の組み立て、組み直しを簡単に行なうことができ、子供の成長と共に不要になった組み立て式家具を解体して、必要なサイズに切断したり、必要な部材を補充して、その時々に必要な物に組み直し、本考案により、子供の成長と共に変化しつづける家具を提供することができる。
【０００７】
また、本考案の組み立て用部材を用いて組み立てた家具を解体して、幅広く、ガーデニング用部材、例えばガーデニング用プランターに組み直してその利用後に解体して廃棄できるようになるため、産業廃棄物を減らし、また、木材の間伐材の利用にも貢献するという優れた効果を奏する。
【考案を実施するための最良の形態】
【０００８】
以下、本考案の実施の形態を、図面を参照して説明する。
図１は本考案の一実施形態を示すもので、図１において、符号１は本考案に係る組み立て用部材を示している。
【０００９】
図１（Ａ）の全体図に示すように、組み立て用部材１は、断面正方形状の４ｃｍ角の木材であり、図に示すように、３方向からコミ栓用穴２が予め開けられている。組み立て用部材１の長さは、４ｃｍから４ｍ位までとされている。図に示すように、コミ栓用穴２は、組み立て用部材１の両端面１ａに一箇所ずつ設けられ、残る４つの側面１ｂには、等間隔に複数箇所（図示例の場合、５箇所）ずつ設けられている。
【００１０】
図１（Ｂ）の正面図に示すように、各コミ栓用穴２は、組み立て用部材１の４つの側面１ｂのうち、左右方向および上下方向にそれぞれ貫通している。また、図１（Ｃ）の側面図および図１（Ｄ）の上面図に示すように、組み立て用部材１の両端面１ａに設けられたコミ栓用穴２は、４つの側面１ｂに設けられたコミ栓用穴２のうち、各端面１ａに最も近いコミ栓用穴２と互いに連通している。
【００１１】
図１（Ｅ）は、コミ栓用穴２に打ち込まれるコミ栓３を示している。コミ栓３は、図１（Ｅ）に示すように、左右に、コミ栓用穴２に打ち込まれる継ぎ部分３ａが設けられ、中央には左右の継ぎ部分３ａよりも径の大きい大径部分３ｂが設けられている。そして、コミ栓用穴２の入口部分には、図１（Ａ）ないし図１（Ｄ）に示すように、コミ栓３の中央の大径部分３ｂが嵌めこまれる凹所２ａが設けられている。
【００１２】
図１（Ｆ）は、コミ栓３が打ち込まれないコミ栓用穴２がある場合に、当該穴２を塞ぐために入れられる飾り４を示している。
【００１３】
上記構成の組み立て用部材１は、特に図示はしないが、一方の組み立て用部材１のコミ栓用穴２にコミ栓３の一方の継ぎ部分３ａを打ち込み、もう一方の組み立て用部材１の相対するコミ栓用穴２に前記コミ栓３の他方の継ぎ手部分３ａを打ち込み、これにより、組み立て用部材１どうしを互いに継ぎ、これを繰り返すことにより、組立て式家具として、組み立てることができる。また、子供の成長とともに、不要になった場合には、容易に解体して、組み立て用部材１を必要なサイズに切断したり、別の組み立て用部材１を新たに補足して、その時々に必要な家具に組み立て直すことができる。
【００１４】
不要になった家具は、解体し、幅広くガーデニング用プランターとして組み立て直すこともでき、その後に廃棄することにより、産業廃棄物の減少に貢献することができる。また、木材の間伐材の利用などに貢献することができる。
【産業上の利用可能性】
【００１５】
本考案に係る組み立て用部材は、子供の成長と共に変化して必要な物にかわっていく、組み立て用家具又はガーデニング用部材のための組み立て用部材として、幅広く利用可能である。
【図面の簡単な説明】
【００１６】
【図１】（Ａ）は本考案の一実施形態を示す組み立て用部材の全体図、（Ｂ）は正面図、（Ｃ）は側面図、（Ｄ）は上面図、（Ｅ）は組み立て用部材のコミ栓用穴に打ち込まれるコミ栓の側面図、（Ｆ）はコミ栓が打ち込まれないコミ栓用穴に入れられる飾りである。
【符号の説明】
【００１７】
１  組み立て用部材
１ａ  端面
１ｂ  側面
２  コミ栓用穴
２ａ  凹所
３  コミ栓
３ａ  継ぎ部分
３ｂ  大径部分
４  飾り
【図１】
0003170513.tif 000003
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
組み立て式家具又はガーデニング用部材のための組み立て用部材であって、４ｃｍ角の木材に、当該木材の長さ方向、幅方向および高さ方向の三方向よりコミ栓用穴を予め開け、同木材の長さを４ｃｍから４ｍとしてなり、前記コミ栓用穴は、前記木材の両端面に一箇所ずつおよび残る４面には一箇所ずつ又は等間隔に複数箇所設けてなる、組み立て用部材。